(57)【要約】受動光ネットワークシステムは、局側終端装置からの下り信号を利用して上り信号を送信する複数の加入者側終端装置と、  前記複数の加入者側終端装置のそれぞれに対応する複数の波長の下り信号を送信するとともに複数の加入者終端装置からの上り信号を受信する複数の光送受信器と、該複数の光送受信器のそれぞれに対応する複数の波長の監視光を送信する監視用光通信器と、を備える局側終端装置と、を有する。
2010106917.tif 000002
【特許請求の範囲】
【請求項１】
局側終端装置からの下り信号を利用して上り信号を送信する複数の加入者側終端装置と、
前記複数の加入者側終端装置のそれぞれに対応する複数の波長の下り信号を送信するとともに複数の加入者終端装置からの上り信号を受信する複数の光送受信器と、該複数の光送受信器のそれぞれに対応する複数の波長の監視光を送信する監視用光通信器と、を備える局側終端装置と、
を有する受動光ネットワークシステム。
【請求項２】
前記監視用光通信器は、前記加入者側終端装置にて情報が付加された前記監視光を受信することを特徴とする請求項１に記載の受動光ネットワークシステム。
【請求項３】
前記情報は、前記光送受信器の消費電力が低減された状態から復旧するかどうかに関する情報であることを特徴とする請求項２に記載の受動光ネットワークシステム。
【請求項４】
前記光送受信器は、自身と前記加入者側終端装置との間に通信のない時間を計測し、計測した該時間が所定時間以上となったとき、該下り信号の送信を停止する、請求項１乃至３のいずれか１項に記載の受動光ネットワークシステム。
【請求項５】
それぞれの前記光送受信器は、前記下り信号の送信を停止するとき、下り信号の送信を停止することを通知するための通知信号を前記監視用光通信器へ送信し、
前記監視用光通信器は、前記光送受信器から前記通知信号を受信したとき、該光送受信器に対応する波長の監視光の送信を開始する、請求項１乃至４のいずれか１項に記載の受動光ネットワークシステム。
【請求項６】
前記監視用光通信器は、前記加入者側終端装置ごとに、該加入者側終端装置が利用する下り信号の波長を記憶しておき、前記通知信号を受信したとき、該通知信号の示す前記加入者側終端装置に対応する波長を読み出し、該波長の下り信号を送信する、請求項５に記載の受動光ネットワークシステム。
【請求項７】
前記監視用光通信器は、前記複数の下り信号のそれぞれの波長が異なる場合、それぞれの該加入者側終端装置に対応する波長の光信号を時分割方式で送信する、請求項１乃至６のいずれか１項に記載の受動光ネットワークシステム。
【請求項８】
前記監視用光通信器は、波長可変光源を有し、該波長可変光源を使用して前記下り信号を生成する、請求項１乃至７のいずれか１項に記載の受動光ネットワークシステム。
【請求項９】
前記監視用光通信器は、広域帯光源及び波長可変フィルタを有し、該波長可変フィルタ及び該広域帯光源を使用して前記下り信号を生成する、請求項１乃至７のいずれか１項に記載の受動光ネットワークシステム。
【請求項１０】
前記受動光ネットワークシステムは、前記複数の加入者側終端装置からの複数の上り信号を前記光送受信器向けと前記監視用光通信部向けに分岐するスプリッタを更に有し、
前記監視用光通信器は、波長可変フィルタを更に有し、前記スプリッタにより分岐された前記複数の上り信号を受信し、前記波長可変フィルタを調整して、該複数の上り信号の中から、自身が送信した下り信号と同じ波長の上り信号を分離する、請求項９に記載の受動光ネットワークシステム。
【請求項１１】
前記監視用光通信器は、前記上り信号を増幅する光増幅器を更に有する、請求項１０に記載の受動光ネットワークシステム。
【請求項１２】
前記複数の加入者側終端装置からの上り信号を合波して前記複数の光送受信器と前記監視用光通信器とへ送信し、該複数の光送受信器からの下り信号と該監視用光通信器からの下り信号を波長分離して該複数の加入者側終端装置へ送信する波長合分波器を更に有し、
前記監視用光通信器は、波長可変フィルタを更に有し、前記波長合分波器により合波された前記複数の上り信号を受信し、前記波長可変フィルタを調整して、該複数の上り信号の中から、自身が送信した下り信号に対応する上り信号を分離する、請求項１乃至７のいずれか１項に記載の受動光ネットワークシステム。
【請求項１３】
受動光ネットワークシステムは、前記局側終端装置からの複数の下り信号を複数の前記加入者側終端装置向けに分岐するスプリッタを更に有し、
それぞれの前記加入者側終端装置は、互いに異なる波長の光信号を透過するフィルタを有し、前記スプリッタにより分岐された前記複数の下り信号を受信し、該複数の下り信号の中から、該フィルタを透過した下り信号を使用する、請求項１乃至９のいずれか１項に記載の受動光ネットワークシステム。
【請求項１４】
前記受動光ネットワークシステムは、複数の入力ポート及び複数の出力ポートを備える光スイッチと、波長合分波器と制御部とを更に有し、
複数の前記入力ポートは、前記複数の光送受信器と、前記監視用光通信器とが入力され、
複数の前記出力ポートは、前記波長合分波器に接続され、
前記光スイッチは、前記監視用光通信器の制御に従って前記入力ポートと前記出力ポートとの間の接続を切り替え、
前記波長合分波器は、複数の前記出力ポートからの光信号を合波して前記複数の加入者側終端装置へ送信し、
前記制御部は、前記光送受信器が前記下り信号の送信を停止したならば、該下り信号が送信される前記加入者側終端装置に対応する出力ポートの接続先を、前記監視用光通信器に対応する入力ポートに切り替えるように、前記光スイッチを制御する、請求項１乃至９のいずれか１項に記載の受動光ネットワークシステム。
【請求項１５】
前記複数の光送受信器のうち、いずれかは、前記監視用光通信器として兼用される、請求項１乃至１４のいずれか１項に記載の受動光ネットワークシステム。
【請求項１６】
局側終端装置からの下り信号を利用して上り信号を送信する複数の加入者側終端装置のそれぞれに対応する複数の波長の下り信号を送信するとともに複数の加入者終端装置からの上り信号を受信する複数の光送受信器と、該複数の光送受信器のそれぞれに対応する複数の波長の監視光を送信する監視用光通信器と
を有する局側終端装置。
【請求項１７】
前記監視用光通信器は、前記加入者側終端装置にて情報が付加された前記監視光を受信することを特徴とする請求項１６に記載の局側終端装置。
【請求項１８】
前記情報は、前記光送受信器の消費電力が低減された状態から復旧するかどうかに関する情報であることを特徴とする請求項１７に記載の局側終端装置。
【請求項１９】
局側終端装置からの下り信号を利用して上り信号を送信する複数の加入者側終端装置のそれぞれに対応する複数の波長の下り信号を送信するとともに複数の加入者終端装置からの上り信号を受信する複数の光送受信器のそれぞれに対応する複数の波長の監視光を送信する送信手段
を有する監視用光通信器。
【請求項２０】
前記加入者側終端装置にて情報が付加された前記監視光を受信する受信手段を更に有する請求項１９に記載の監視用光通信器。
【請求項２１】
前記情報は、前記光送受信器の消費電力が低減された状態から復旧するかどうかに関する情報であることを特徴とする請求項２０に記載の監視用光通信器。
【請求項２２】
局側終端装置からの下り信号を利用して上り信号を送信する加入者側終端装置であって、
複数の光送受信器のそれぞれに対応する複数の波長の監視光を送信する前記局側終端装置に備えられた監視用光通信器からの監視光に情報を付加して、前記局側週端装置に送信する送信手段
を有する加入者側終端装置。
【請求項２３】
前記情報は、前記光送受信器の消費電力が低減された状態から復旧するかどうかに関する情報であることを特徴とする請求項２２に記載の加入者側終端装置。
【請求項２４】
複数の加入者側終端装置で、局側終端装置からの下り信号を利用して上り信号を送信し、  
局側終端装置で、複数の光送受信器が前記複数の加入者側終端装置のそれぞれに対応する複数の波長の下り信号を送信し、監視用光通信器が該複数の光送受信器のそれぞれに対応する複数の波長の監視光を送信する、受動光ネットワークシステムにおける通信方法。
【請求項２５】
監視用光通信器で、前記加入者側終端装置にて情報が付加された前記監視光を受信することを特徴とする請求項２４に記載の通信方法。
【請求項２６】
前記情報は、前記光送受信器の消費電力が低減された状態から復旧するかどうかに関する情報であることを特徴とする請求項２５に記載の通信方法。
【発明の詳細な説明】
【技術分野】
【０００１】
本発明は、ＷＤＭ（Wavelength  Division  Multiplexing）−ＰＯＮ（Passive  Optical  Network）システムにおいて、ＯＬＴ（Optical  Line  Terminal）とＯＮＵ（Optical  Network  Unit）とが通信する技術に関する。
【背景技術】
【０００２】
ＰＯＮ（Passive  Optical  Network：受動光ネットワーク）システムは、１台のＯＬＴ（Optical  Line  Terminal：局側終端装置）が送信する光信号を分岐または分波して、複数のＯＮＵ（Optical  Network  Unit：加入者側終端装置）に送信するシステムであり、１台のＯＬＴを複数のＯＮＵで共有できる点で効率が良い。【０００３】
このＰＯＮシステムの利用方法に関し、特許文献１に記載のＰＯＮシステムは、各ＯＮＵの運用状態を監視する。そして、故障等により非運用状態となったＯＮＵがあれば、ＰＯＮシステムは、そのＯＮＵへのデータの送信を停止して、空いた帯域を他のＯＮＵに割り当てることにより、帯域を有効に利用している。【０００４】
ここで、１０Ｇｂｐｓ（bit  per  second）程度までの通信速度のＰＯＮシステムにおいては、一般にＴＤＭ（Time  Division  Multiplexing）方式が使用されている。【０００５】
しかし、近年では、通信ネットワークにおけるトラフィックの増大に伴い、通信帯域の広帯域化が進んでいる。そして、１０Ｇｂｐｓ以上の通信速度のＰＯＮシステムを実現するために、特許文献２に開示されているように、ＷＤＭ（Wavelength  Division  Multiplexed：波長分割多重化）方式を使用することが有望視されている。【０００６】
そのＷＤＭ−ＰＯＮシステムの中でも、ＯＬＴからＯＮＵへの下り信号の一部を、ＯＮＵが増幅、再変調し、ＯＮＵからＯＬＴへの上り信号として再利用するＣＬＳ（Centralized  Light  Sources）方式が盛んに研究されている。ＣＬＳ方式においては、ＯＮＵに光源を設ける必要がないという利点があるからである。
【先行技術文献】
【特許文献】
【０００７】
【特許文献１】特開２００２００１−１６０８２０号公報
【特許文献２】特開２００６−５９３４号公報
【発明の概要】
【発明が解決しようとする課題】
【０００８】
しかし、特許文献１や特許文献２に記載のＰＯＮシステムに、ＣＬＳ方式を適用した場合、ＰＯＮシステムの電力効率が低くなるという問題があった。【０００９】
詳細には、ＣＬＳ方式では、ＯＮＵは光信号源を持たないので、ＯＬＴがＯＮＵへ光信号（下り信号）を送信しない限り、ＯＮＵからＯＬＴへ光信号（上り信号）を送信することができない。このため、ＯＮＵがいつでも上り信号を送信できるように、ＯＬＴは、常にＯＮＵに下り信号を送信し続けなければならない。これは極めて非効率的である。【００１０】
本発明は、ＰＯＮシステムの電力効率を向上する技術を提供することを目的とする。
【課題を解決するための手段】
【００１１】
上記目的を達成するために、本発明の受動光ネットワークシステムは、局側終端装置からの下り信号を利用して上り信号を送信する複数の加入者側終端装置と、  前記複数の加入者側終端装置のそれぞれに対応する複数の波長の下り信号を送信するとともに複数の加入者終端装置からの上り信号を受信する複数の光送受信器と、該複数の光送受信器のそれぞれに対応する複数の波長の監視光を送信する監視用光通信器と、を備える局側終端装置と、を有する。【００１２】
本発明の局側終端装置は、局側終端装置からの下り信号を利用して上り信号を送信する複数の加入者側終端装置のそれぞれに対応する複数の波長の下り信号を送信するとともに複数の加入者終端装置からの上り信号を受信する複数の光送受信器と、該複数の光送受信器のそれぞれに対応する複数の波長の監視光を送信する監視用光通信器とを有する。【００１３】
本発明の監視用光通信器は、局側終端装置からの下り信号を利用して上り信号を送信する複数の加入者側終端装置のそれぞれに対応する複数の波長の下り信号を送信するとともに複数の加入者終端装置からの上り信号を受信する複数の光送受信器のそれぞれに対応する複数の波長の監視光を送信する送信手段を有する。【００１４】
本発明の加入者側終端装置は、局側終端装置からの下り信号を利用して上り信号を送信する加入者側終端装置であって、複数の光送受信器のそれぞれに対応する複数の波長の監視光を送信する前記局側終端装置に備えられた監視用光通信器からの監視光に情報を付加して、前記局側週端装置に送信する送信手段を有する。【００１５】
本発明の受動光ネットワークシステムにおける通信方法は、複数の加入者側終端装置で、局側終端装置からの下り信号を利用して上り信号を送信し、局側終端装置で、複数の光送受信器が前記複数の加入者側終端装置のそれぞれに対応する複数の波長の下り信号を送信し、監視用光通信器が該複数の光送受信器のそれぞれに対応する複数の波長の監視光を送信する、受動光ネットワークシステムにおける通信方法である。
【発明の効果】
【００１６】
本発明によれば、監視用光通信器が、複数の光送受信器のそれぞれに対応する複数の波長の監視光を送信するので、監視用光通信器で下り信号を送信しつつ、複数の光送受信器を停止できる結果、受動光ネットワークシステムの全体の電力消費を低減できる。
【図面の簡単な説明】
【００１７】
【図１】本発明の第１の実施形態のＷＤＭ−ＰＯＮシステムの構成を示す全体図である。
【図２】本発明の第１の実施形態の光送受信器の構成を示すブロック図である。
【図３】本発明の第１の実施形態の監視用光通信器の構成を示すブロック図である。
【図４】本発明の第１の実施形態のチャネルリストに記載される内容を示す表である。
【図５】本発明の第２の実施形態のＯＮＵの構成を示すブロック図である。
【図６】本発明の第１の実施形態の光送受信器の動作を示すフローチャートである。
【図７】本発明の第２の実施形態の休止要求処理を示すフローチャートである。
【図８】本発明の第１の実施形態の監視用光通信器の動作を示すフローチャートである。
【図９】本発明の第１の実施形態の監視光送信処理を示すフローチャートである。
【図１０】本発明の第２の実施形態のＯＮＵの動作を示すフローチャートである。
【図１１】本発明の第１の実施形態のＷＤＭ−ＰＯＮシステムの動作結果を示す図である。
【図１２】本発明の第１の実施形態のＷＤＭ−ＰＯＮシステムの動作結果を示す図である。
【図１３】本発明の第３の実施形態のＷＤＭ−ＰＯＮシステムの構成を示す全体図である。
【図１４】本発明の第３の実施形態のＡＷＧの各ポートと入出力波長との関係を示す表である。
【図１５】本発明の第３の実施形態のＷＤＭ−ＰＯＮシステムの動作結果を示す図である。
【図１６】本発明の第３の実施形態のＷＤＭ−ＰＯＮシステムの動作結果を示す図である。
【図１７】本発明の第４の実施形態のＷＤＭ−ＰＯＮシステムの構成を示す全体図である。
【図１８】本発明の第４の実施形態のＯＮＵの構成を示すブロック図である。
【図１９】本発明の第４の実施形態のＷＤＭ−ＰＯＮシステムの動作結果を示す図である。
【図２０】本発明の第５の実施形態の監視用光通信器の構成を示すブロック図である。
【図２１】本発明の第６の実施形態の監視用光通信器の構成を示すブロック図である。
【図２２】本発明の第７の実施形態のＷＤＭ−ＰＯＮシステムの構成を示す全体図である。
【図２３】本発明の第７の実施形態のＷＤＭ−ＰＯＮシステムの動作結果を示す図である。
【図２４】本発明の第７の実施形態のＷＤＭ−ＰＯＮシステムの動作結果を示す図である。
【発明を実施するための形態】
【００１８】
本発明を実施するための形態について図面を参照して詳細に説明する。図１は、本発明のＷＤＭ（Wavelength  Division  Multiplexing）−ＰＯＮ（Passive  Optical  Network：受動光ネットワーク）システム１の構成を示す全体図である。ＷＤＭ−ＰＯＮシステム１は、波長分割多重化方式により多重化された光信号を、複数の加入者側終端装置へ送信し、その光信号を利用して、加入者側終端装置と局側終端装置とが通信する通信システムである。
【００１９】
図１を参照すると、ＷＤＭ−ＰＯＮシステム１は、ＯＬＴ１０と、スプリッタ２０と、複数の伝送路３０、３１、および３２と、ＡＷＧ（Arrayed  Waveguide  Grating：波長合分波器）４０と、複数のＯＮＵ（Optical  Network  Unit：加入者側終端装置）とを有する。ＷＤＭ−ＰＯＮシステム１には、例えば、ＯＮＵ５０、５１、５２、および５３の４つが設けられる。
【００２０】
ＯＬＴ１０は、光ファイバ加入者線の局舎側の終端装置であり、波長分割多重化方式を利用することにより、複数のＯＮＵ（５０、５１、５２、および５３）を収容する。ＯＬＴ１０は、複数の光送受信器（１０１、１０２、１０３、および１０４）と、ＡＷＧ１０５と、監視用光通信器１０６とを有する。また、光送受信器１０１、１０２、１０３、および１０４と、監視用光通信器１０６とは、電気的に接続されている。
【００２１】
光送受信器１０１、１０２、１０３、および１０４は、それぞれ異なる波長の光信号（下り信号）を、ＡＷＧ１０５等を介して、自身に対応するＯＮＵ（５０、５１、５２、および５３）へ送信する。そして、それぞれの光送受信器１０１等は、この光信号にデータを乗せて送受信することにより、ＯＮＵ５０等との間で通信を行う。
【００２２】
光送受信器１０１等は、ＯＮＵからＯＬＴへの光信号（上り信号）に乗せられたデータと、ＯＬＴからＯＮＵへの下り信号に自身が乗せたデータとを監視する。下り信号、または上り信号に搬送されるデータが所定時間以上、検知されなければ、光送受信器１０１等は、そのＯＮＵ（５０等）へ休止要求信号を送信する。
【００２３】
休止要求信号とは、ＯＮＵ５０等に対し、省電力モードへの移行を要求する信号である。
【００２４】
ＯＮＵ５０等における省電力モードとは、上り信号の要求が生じない限り、光信号の送受信機能を停止する状態である。
【００２５】
休止要求信号に対する受信応答信号である休止了承信号を、ＯＮＵ５０等から受信した場合、または休止要求信号を所定回数以上送信した場合、光送受信器１０１等は、そのＯＮＵ５０等への下り信号の送信を止めるとともに、休止通知信号を監視用光通信器１０６へ送信する。この休止通知信号は、光送受信器（１０１等）が下り信号の送信を停止したことを通知するための信号である。
【００２６】
そして、光送受信器１０１等は、下り信号の送信元の切り替えを要求する送信要求信号を監視用光通信器１０６から受信したとき、下り信号の送信を再開する。
【００２７】
監視用光通信器１０６は、休止通知信号を受信したとき、光送受信器１０１等に代わって、休止通知信号の示すＯＮＵ５０等に下り信号を送信する。以下、監視用光通信器１０６が送信する下り信号を監視光という。そして、ＯＮＵ５０等から送信要求信号を受信したとき、監視用光通信器１０６は、その信号を光送受信器１０１等へ送信するとともに、そのＯＮＵ５０等への監視光の送信を停止する。
【００２８】
ＡＷＧ１０５は、光送受信器１０１等からの光信号を波長多重化し、スプリッタ２０へ送信する。また、ＡＷＧ１０５は、スプリッタ２０からの光信号を波長分離して光送受信器１０１等へ送信する。
【００２９】
スプリッタ２０は、ＡＷＧ１０５からの光信号と、監視用光通信器１０６からの光信号とを合波してＡＷＧ４０へ送信する。また、スプリッタ２０は、ＡＷＧ４０からの光信号を分岐してＡＷＧ１０５、および監視用光通信器１０６へ送信する。
【００３０】
伝送路３０、３１、および３２は、光ファイバなどを使用する光信号の伝送路である。伝送路３０は、ＡＷＧ４０とスプリッタ２０とを接続する。伝送路３１は、スプリッタ２０とＡＷＧ１０５とを接続し、伝送路３２は、スプリッタ２０と監視用光通信器１０６とを接続する。
【００３１】
ＡＷＧ４０は、スプリッタ２０からの光信号を波長分離してＯＮＵ５０等へ送信する。また、ＡＷＧ４０は、ＯＮＵ５０等からの光信号を波長多重化してスプリッタ２０へ送信する。
【００３２】
ＯＮＵ５０等は、それぞれ異なる波長の光信号を利用して光通信を行う加入者側終端装置である。ＯＮＵ５０等は、自身からの上り信号に乗せるデータがあれば、ＡＷＧ４０等を介して送信要求信号をＯＬＴ１０へ送信する。そして、ＯＮＵ５０等は、送信された光信号を利用して、ＯＬＴ１０との間でデータを送受信する。
【００３３】
また、ＯＮＵ５０等は、光送受信器１０１等から休止要求信号を受信したとき、休止了承信号を、その光送受信器１０１等へ送信するとともに、省電力モードに移行する。
【００３４】
図２は、光送受信器１０１の構成を示すブロック図である。同図を参照すると、光送受信器１０１は、送信部１０１１、受信部１０１２、および制御部１０１３を有する。同図において、点線の矢印は光信号（休止要求信号、休止要求信号）であり、実線の矢印は電気信号（休止通知信号、送信要求信号）である。
【００３５】
送信部１０１１は、所定の波長の光源１０１１Ａを有する。光源１０１１Ａは、所定の波長の光信号（下り信号）をＯＮＵ５０に送信する。送信部１０１１は、この光信号を変調することにより、ＯＮＵ５０へデータを送信する。
【００３６】
受信部１０１２は、ＯＮＵ５０からの光信号（上り信号）に乗せられたデータを受信する。
【００３７】
制御部１０１３は、光送受信器１０１全体を制御する。制御部１０１３は、下り信号、上り信号のいずれにもデータが搬送されない（通信がない）時間を計測し、計測した時間が所定時間以上であるか否かを判断する。
【００３８】
通信のない時間が所定時間以上であれば、制御部１０１３は、休止要求信号をＯＮＵ５０へ送信する。休止了承信号を受信部１０１２が受信したならば、制御部１０１３は、下り信号の送信を停止するとともに、下り信号の送信停止を通知するための休止通知信号を監視用光通信器１０６へ送信する。
【００３９】
また、休止了承信号を所定時間内に受信しない場合、送信部１０１１は、再度休止要求信号を送信する。所定回数送信しても、受信部１０１２が休止了承信号を受信しない場合、制御部１０１３は、下り信号の送信を停止するとともに、休止通知信信号を監視用光通信器１０６へ送信する。
【００４０】
休止通知信号の送信後、制御部１０１３は、光送受信器１０１を省電力モードに移行させる。
【００４１】
光送受信器１０１における省電力モードとは、監視用光通信器１０６からの電気信号（後述する送信要求信号）の受信を受け付けるが、光信号の送受信機能を停止する状態である。
【００４２】
省電力モードにおいて、監視用光通信器１０６から送信要求信号（電気信号）を制御部１０１３が受信したとき、制御部１０１３は、送信部１０１１および受信部１０１２を起動させ、送信部１０１１は、下り信号の送信を再開する。
【００４３】
光送受信器１０２〜１０４の構成は、それぞれ、ＯＮＵ５１〜５３と交信する以外は、光送受信器１０１の構成と同様である。
【００４４】
図３は、監視用光通信器１０６の構成を示すブロック図である。同図を参照すると、監視用光通信器１０６は、送信部１０６１、受信部１０６２、および制御部１０６３を有する。同図において、点線の矢印は光信号（送信要求信号）であり、実線の矢印は電気信号（休止通知信号、送信要求信号）である。
【００４５】
送信部１０６１は、波長可変光源１０６１Ａを有する。波長可変光源１０６１Ａは、制御部１０６３の制御により、各ＯＮＵ（５０等）に対応する複数の波長を可変的に生成できる光源である。本実施形態では、送信部１０６１は、光信号を利用してＯＮＵ（５０等）へデータを送信する必要はないので、光信号を変調する機能は有さなくてよい。
【００４６】
受信部１０６２は、波長可変フィルタ１０６２Ａを有する。波長可変フィルタ１０６２Ａは、制御部１０６３により設定された波長（中心波長）を中心とした所定の帯域幅の光信号を透過するフィルタである。受信部１０６２は、波長可変フィルタ１０６２Ａに、受信した光信号（上り信号）を透過させることにより、監視用光通信器１０６が送信した監視光と同じ波長の上り信号を分離する。
【００４７】
制御部１０６３は、チャネルリスト１０６３Ａを有し、監視用光通信器１０６全体を制御する。このチャネルリスト１０６３Ａは、光送受信器ごとに、下り信号（監視光）を送信しているか否かと、送信すべき下り信号（監視光）の波長とを示すリストである。チャネルリスト１０６３Ａに記載される内容の詳細については、後述する。
【００４８】
制御部１０６３は、光送受信器１０１等から、休止通知信号（電気信号）を受信したとき、その休止通知信号を送信した光送受信器に対応する波長をチャネルリスト１０６３Ａから読み出す。そして、その光送受信器（１０１等）は下り信号の送信を停止しているものとしてチャネルリスト１０６３Ａを更新する。
【００４９】
制御部１０６３は、チャネルリスト１０６３Ａを順次参照し、波長可変光源１０６１Ａを該当設定波長に設定する。
【００５０】
制御部１０６３の制御により、波長可変光源１０６１Ａは、設定された波長の監視光を生成する。監視光の送信対象のＯＮＵが複数ある場合、波長可変光源１０６１Ａは、時分割で、複数の波長の監視光を順に生成する。
【００５１】
また、制御部１０６３は、読み出した波長を中心波長とするように、波長可変フィルタ１０６２Ａを制御する。データの受信対象のＯＮＵが複数ある場合、制御部１０６３は、所定時間ごとに、波長可変フィルタ１０６２Ａに設定する中心波長を切り替える。
【００５２】
受信部１０６２が、ＯＮＵ（５０等）から送信要求信号を受信した場合、制御部１０６３は、その送信要求信号を、対応する光送受信器（１０１等）へ送信する。そして、制御部１０６３は、その光送受信器（１０１等）は下り信号の送信を再開したものとしてチャネルリスト１０６３Ａから、その光送受信器に対応するチャネルを削除する。
【００５３】
このように、監視用光通信器１０６が、ＯＮＵ（５０等）にて、光送受信器（１０１等）の消費電力が低減された状態から復旧するかどうかに関する情報（送信要求信号）が付加された監視光を受信するので、ＯＮＵが、省電力モードからの復旧について自己判断した結果を知ることができる。
【００５４】
図４は、チャネルリスト１０６３Ａに記載される内容をまとめた表である。同図を参照すると、チャネルリスト１０６３Ａには、各ＯＮＵに対応する数の「Ｃｈ」と、各「Ｃｈ」ごとに、「波長」、「省電力モード」、および「送信フラグ」が記載される。
【００５５】
「Ｃｈ」は、ＯＮＵ（５０等）と光送受信器（１０１等）と間の通信経路（チャネル）を識別するための番号である。
【００５６】
「波長」は、各チャネルにおいて送受信される光信号の波長である。各チャネルには、異なる波長が記載される。例えば、「＃１」〜「＃４」の各チャネルにおいて、「λ＃１」〜「λ＃４」の波長の光信号が送受信される。
【００５７】
「省電力モード」は、「Ｃｈ」に対応する光送受信器（１０１等）が省電力モードであるか否かを示す。例えば、省電力モードである場合、「１」が記載され、そうでない（通常モードである）場合「０」が記載される。初期状態においては、全ての光送受信器の状態は、「０」である。
【００５８】
「送信フラグ」は、所定周期内において、「Ｃｈ」に対応するＯＮＵ（５０等）に、時分割で光信号を送信したか否かを示すフラグである。例えば、送信周期内において、ＯＮＵに光信号を送信した場合、「１」が記載され、未送信の場合、「０」が記載される。初期状態においては、全てのフラグは「０」である。
【００５９】
図５は、本実施形態のＯＮＵ５０の構成を示すブロック図である。同図を参照すると、ＯＮＵ５０は、送信部５０１、受信部５０２、および制御部５０３を有する。同図において、点線の矢印は光信号（休止通知信号、休止了承信号、送信要求信号）である。
【００６０】
送信部５０１は、光送受信器１０１から送信された下り信号に再変調をかけることより、ＯＬＴ１０へデータを送信する。受信部５０２は、ＯＬＴ１０から、光信号を受信する。
【００６１】
制御部５０３は、ＯＮＵ５０全体を制御する。受信部５０２が光送受信器１０１から休止要求信号を受信したのであれば、送信部５０１は、休止了承信号を光送受信器１０１へ送信する。
【００６２】
そして、制御部５０３は、ＯＮＵ５０を省電力モードへ移行させる。省電力モード中において、上り信号の要求が起これば、制御部５０３は、送信部５０１、および受信部５０２を起動させるとともに、送信要求信号を監視用光通信器１０６へ送信する。
【００６３】
ＯＮＵ５１〜５３の構成は、ＯＮＵ５０の構成と同様である。
【００６４】
図６を参照して、光送受信器１０１の動作について説明する。同図は、光送受信器１０１の動作を示すフローチャートである。この動作は、光送受信器１０１の電源が投入されたときに開始する。同図を参照すると、光送受信器１０１は、自身が属するチャネルに対応する波長の下り信号をＯＮＵ５０に送信する。そして、光送受信器１０１は、この光信号を利用してＯＮＵ５０と通信する（ステップＳ１）。
【００６５】
光送受信器１０１は、光信号（上り信号、下り信号）がデータを搬送しない（交信がない）時間を計測し、その時間が所定時間以上であるか否かを判断する（ステップＳ３）。
【００６６】
通信のない時間が所定時間に満たなければ（ステップＳ３：ＮＯ）、光送受信器１０１は、ステップＳ３に戻る。通信のない時間が所定時間以上であれば（ステップＳ３：ＹＥＳ）、光送受信器１０１は、休止要求処理を実行し（ステップＳ４）、下り信号の送信の停止を通知するための休止通知信号を監視用光通信器１０６へ送信する（ステップＳ５）。そして、光送受信器１０１は、省電力モードへ移行し、下り信号の送信を停止する（ステップＳ７）。
【００６７】
省電力中の光送受信器１０１は、送信要求信号を受信したか否かを判断する（ステップＳ９）。送信要求信号を受信したのであれば（ステップＳ９：ＹＥＳ）、光送受信器１０１は、省電力モードから復旧し（ステップＳ１１）、ステップＳ１に戻る。
【００６８】
送信要求信号（１０１３Ｂ）を受信していなければ（ステップＳ９：ＮＯ）、光送受信器１０１は、ステップＳ９に戻る。
【００６９】
図７は、本実施形態の休止要求処理を示すフローチャートである。同図を参照すると、光送受信器１０１は休止要求信号をＯＮＵ５０へ送信し、この信号の送信回数をカウントする（ステップＳ４１）。
【００７０】
光送受信器１０１は、所定時間内に休止了承信号をＯＮＵ５０から受信したか否かを判断する（ステップＳ４３）。
【００７１】
所定時間内に休止了承信号を受信しなければ（ステップＳ４３：ＮＯ）、光送受信器１０１は、休止要求信号の送信回数が所定回数以上であるか否かを判断する（ステップＳ４５）。
【００７２】
送信回数が所定回数以上でなければ（ステップＳ４５：ＮＯ）、光送受信器１０１は、ステップＳ４１へ戻る。所定時間内に休止了承信号を受信した場合（ステップＳ４３：ＹＥＳ）、または送信回数が所定回数以上である場合（ステップＳ４５：ＹＥＳ）、光送受信器１０１は、休止要求処理を終了する。
【００７３】
光送受信器１０２〜１０４の動作は、光送受信器１０１の動作と同様である。
【００７４】
図８および図９を参照して、監視用光通信器１０６の動作について説明する。図８は、監視用光通信器１０６の動作を示すフローチャートである。同図を参照すると、監視用光通信器１０６は、休止通知信号を、いずれかの光送受信器（１０１等）から受信したか否かを判断する（ステップＴ１）。
【００７５】
休止通知信号を受信したのであれば（ステップＴ１：ＹＥＳ）、監視用光通信器１０６は、チャネルリスト１０６３Ａにおいて、休止通知信号を送信した光送受信器（１０１等）に対応する「省電力モード」を「１」に更新する（ステップＴ３）。そして、監視用光通信器１０６は、監視光送信処理を実行し（ステップＴ５）、ステップＴ１に戻る。
【００７６】
図９は、監視光送信処理を示すフローチャートである。同図を参照すると、監視用光通信器１０６は、チャネルリスト１０６３Ａを参照し、「省電力モード」が「１」のチャネルのうち、送信フラグが「０」（未送信）のチャネルに対応する波長の光信号を所定時間だけ、順に送信する（ステップＴ５１）。監視光の送信期間は、ＯＮＵが応答するのに十分な時間とする。この送信時間に省電力モードが「１」のチャネル数を乗算した周期（送信周期）で、各ＯＮＵに繰り返し監視光が送信される。
【００７７】
監視光の送信後、監視用光通信器１０６は、チャネルリスト１０６３Ａにおいて、そのチャネルの「送信フラグ」を「１」に更新する（ステップＴ５３）。
【００７８】
監視用光通信器１０６は、監視光を送信した時間内に、そのＯＮＵ（５０等）から送信要求信号（１０６２Ｂ）を受信したか否かを判断する（ステップＴ５５）。
【００７９】
送信期間内に送信要求信号を受信したのであれば（ステップＴ５５：ＹＥＳ）、監視用光通信器１０６は、チャネルリスト１０６３Ａにおいて、その信号の送信元のＯＮＵの省電力モードを「０」に更新する（ステップＴ５７）。そして、監視用光通信器１０６は、チャネルリストに１０６３Ａに記載のチャネルに対応する光送受信器（１０１等）へ、送信要求信号（１０６２Ｃ）を送信する（ステップＴ５９）。
【００８０】
送信期間内に送信要求信号を受信していない場合（ステップＴ５５：ＮＯ）、またはステップＴ５９の後、監視用光通信器１０６は、チャネルリスト１０６３Ａを参照し、全てのチャネルにおいて、監視光を送信したか否かを判断する（ステップＴ６１）。全てのチャネルにおいて監視光を送信していれば（ステップＴ６１：ＹＥＳ）、監視用光通信器１０６は、チャネルリスト１０６３Ａにおいて、全てのチャネルの送信フラグを「０」に更新する（ステップＴ６３）。
【００８１】
いずれかのチャネルにおいて、監視光を未送信である場合（ステップＴ６１：ＮＯ）、またはステップＴ６３の後、監視用光通信器１０６は、ステップＴ５１に戻る。
【００８２】
図１０を参照して、ＯＮＵ５０の動作について説明する。同図は、ＯＮＵ５０の動作を示すフローチャートである。この動作は、ＯＮＵ５０の電源が投入されたときに開始する。同図を参照すると、ＯＮＵ５０は、光信号送受信器１０１から送信された下り信号を利用して通信を開始する（ステップＵ１）。ＯＮＵ５０は、休止要求信号を光送受信器１０１から受信したか否かを判断する（ステップＵ２）。休止要求信号を受信していなければ（ステップＵ２：ＮＯ）、ＯＮＵ５０は、ステップＵ１に戻る。
【００８３】
休止要求信号を受信したのであれば（ステップＵ２：ＹＥＳ）、ＯＮＵ５０は、休止了承信号を光送受信器１０１へ送信し、省電力モードへ移行する（ステップＵ２Ａ）。そして、ＯＮＵ５０は、ＯＮＵ５０側で、上り信号の要求があるか否かを判断する（ステップＵ３）。
【００８４】
ＯＮＵ５０は、省電力モード中において上り信号の要求が起これば（ステップＵ３：ＹＥＳ）、省電力モードから復旧し（ステップＵ４）、送信要求信号を監視用光通信器１０６へ送信する（ステップＵ５）。
【００８５】
ＯＮＵ５１〜５３の動作は、ＯＮＵ５０の動作と同様である。
【００８６】
図１１および図１２を参照して、ＷＤＭ−ＰＯＮシステム１の動作結果について説明する。図１１は、全ての光送受信器（１０１等）が省電力モードでない場合における、光信号の経路を示す図である。図１２は、光送受信器１０２〜１０４が省電力モードである場合における、光信号の経路を示す図である。
【００８７】
図１１および図１２における直線の矢印は、波長「λ＃１」の光信号、点線の矢印は、波長「λ＃２」の光信号、一点鎖線の矢印は、波長「λ＃３」の光信号、二点鎖線の矢印は波長「λ＃４」の光信号である。
【００８８】
図１１に示すように、各光送受信器（１０１等）は、それぞれ異なる波長の光信号を送信する。これらの光信号は、ＡＷＧ１０５によって波長多重化されて各ＯＮＵ（５０等）へ送信される。
【００８９】
ここで、光送受信器１０２〜１０４と、ＯＮＵ５１〜５３との間の通信が所定時間以上ないのであれば、光送受信器１０２〜１０４は、省電力モードに移行し、図１２に示すように、下り信号の送信を停止する。代わりに、監視用光通信器１０６が、時分割方式で、ＯＮＵ５１〜５３へ、各ＯＮＵに対応する波長（「λ＃２」〜「λ＃４」」の監視光を順に送信する。
【００９０】
なお、本実施形態では、ＯＬＴ１０とＯＮＵ（５０等）との間のチャネルを４つとしたが、２以上のチャネルであれば、チャネル数は任意である。
【００９１】
本実施形態では、監視用光通信器１０６をＯＬＴ１０内に設ける構成としているが、監視用光通信器１０６をＯＬＴ１０の外部に設ける構成としてもよい。
【００９２】
また、監視用光通信器１０６は、ＯＮＵ５０等からの送信要求信号に応じて、監視光の送信を停止している。しかし、省電力モードにある光送受信器１０１等から送信するデータがあるときに、その光送受信器が送信要求信号を監視用光通信器１０６へ送信し、監視用光通信器１０６が、その送信要求信号に応じて、監視光の送信を停止する構成としてもよい。
【００９３】
本実施形態では、光送受信器１０１等は、監視用光通信器１０６からの送信要求信号に応じて、下り信号の送信を再開する構成としている。しかし、省電力モードに移行しても、スプリッタ２０、ＡＷＧ１０５を介して上り信号は、光送受信器１０１等に送信されている。
【００９４】
そこで、光送受信器１０１等は、省電力モードにおいて、光信号の受信機能だけは残しておき、ＯＮＵ５０等から直接、送信要求信号を受信し、下り信号の送信を再開する構成としてもよい。この場合、監視用光通信器１０６は、光信号の受信機能を有する必要はなく、各波長の監視光を送信するのに時分割方式を使用する必要もない。
【００９５】
以上説明したように、本実施形態によれば、それぞれ異なる波長の下り信号を複数のＯＮＵ（５０等）に送信していた複数の光送受信器（１０１等）のうち、いずれかが下り信号の送信を停止すると、監視用光通信器１０６が代わりに、そのＯＮＵへ下り信号（監視光）を送信するので、下り信号を送信しつつ、複数の光送受信器（１０１等）を停止できる結果、ＷＤＭ−ＰＯＮシステム１の全体の電力消費を低減できる。
【００９６】
光送受信器（１０１等）は、下り信号、上り信号いずれにもデータが搬送されない時間を計測し、計測した該時間が所定時間以上となったとき、該下り信号の送信を停止するので、通信のない時間帯に合わせて電力消費を低減できる。
【００９７】
光送受信器（１０１等）は、下り信号の送信の停止を監視用光通信器１０６へ通知するので、監視用光通信器１０６は、光送受信器（１０１等）による送信停止のタイミングに合わせて下り信号の送信を開始でき、下り信号の送信元の切り替えがスムーズとなる。
【００９８】
監視用光通信器１０６は、Ｃｈごとに、送信する光信号の波長を予めチャネルリスト１０６３Ａに記憶しておくので、どのＣｈの光送受信器からの休止通知信号かということが分かればよく、送信すべき監視光の波長を示す情報を受信する必要がない。
【００９９】
監視用光通信器１０６は、波長可変フィルタ１０６２Ａを有するので、スプリッタ２０により分岐された光信号の中から、自身が送信した監視光と同じ波長の上り信号を容易に分離することができる。
【０１００】
（第２の実施形態）
本発明の第２の実施形態について、図１３〜図１６を参照して説明する。図１３は、本実施形態のＷＤＭ−ＰＯＮシステム１ｂの構成を示す全体図である。同図を参照すると、ＷＤＭ−ＰＯＮシステム１ｂは、スプリッタ２０、伝送路３２、およびＡＷＧ４０の代わりに、複数放路対応のＡＷＧ４０ｂを使用する点で第１の実施形態のＷＤＭ−ＰＯＮシステム１と異なる。
【０１０１】
ＡＷＧ４０ｂは、２つの入力ポートＰａ、Ｐｂと、４つの出力ポートＰ１、Ｐ２、Ｐ３、およびＰ４とを有する。入力ポートＰａは、伝送路３０を介してＡＷＧ１０５に接続され、入力ポートＰｂは、伝送路３１を介して監視用光通信器１０６に接続される。出力ポートＰ１、Ｐ２、Ｐ３、およびＰ４は、それぞれＯＮＵ５０、５１、５２、および５３と接続される。
【０１０２】
ＡＷＧ４０ｂは、ＯＬＴ１０からの光信号を、複数の異なる波長に分波して各ＯＮＵに送信し、各ＯＮＵからの光信号を合波してＡＷＧ１０５（光送受信器）又は監視用光通信器１０６に送信する。
【０１０３】
図１４は、ＡＷＧ４０ｂの各ポートと、入出力波長との関係を示す表である。同図に示すように、光送受信器１０１等が各ＯＮＵに送信する下り信号の波長と、監視用光通信器１０６が、そのＯＮＵに送信する監視光の波長とは、異なる値となるように、設定される。
【０１０４】
例えば、入力ポートＰａに入力される光信号、すなわち光送受信器１０１等からの下り信号は、「λ＃１」、「λ＃２」、「λ＃３」、および「λ＃４」の波長に分離される。一方、入力ポートＰｂに入力される光信号、すなわち監視用光通信器１０６からの監視光は、それぞれ「λ＃２」、「λ＃３」、「λ＃４」、および「λ＃５」に分離される。
【０１０５】
図１５および図１６を参照して、ＷＤＭ−ＰＯＮシステム１ｂの動作結果について説明する。図１５は、全ての光送受信器（１０１等）が省電力モードでない場合における、光信号の経路を示す図である。図１６は、光送受信器１０２〜１０４が省電力モードである場合における、光信号の経路を示す図である。
【０１０６】
図１５および図１６における、直線の矢印は、波長「λ＃１」の光信号、一点鎖線の矢印は、波長「λ＃３」の光信号、二点鎖線の矢印は波長「λ＃４」の光信号であり、図１５における点線の矢印は波長「λ＃２」の光信号、図２１における点線の矢印は波長「λ＃５」の光信号である。
【０１０７】
図１５に示すように、各光送受信器（１０１等）は、それぞれ異なる波長（「λ＃１」〜「λ＃４」」）の下り信号を送信する。これらの光信号は、ＡＷＧ１０５によって波長多重化されて各ＯＮＵ（５０等）へ送信される。
【０１０８】
図１６に示すように、光送受信器１０２〜１０４が省電力モードに移行したときは、光送受信器にかわり、監視用光通信器１０６が、時分割方式で、ＯＮＵ５１〜５３へ、シフトした波長（「λ＃３」〜「λ＃５」」）の監視光を順に送信する。
【０１０９】
以上説明したように、本実施形態によれば、複数放路対応のＡＷＧ４０ｂ（波長合分波器）を使用することにより、ＷＤＭ―ＰＯＮシステムは、スプリッタ２０で光信号を分岐しないので、監視用光通信器１０６は、受信した光信号の増幅をしなくても、光送受信器（１０１等）からの光信号と同等の出力の光信号を受信することができる。
【０１１０】
（第３の実施形態）
本発明の第３の実施形態について、図１７〜図１９を参照して説明する。図１７は、本実施形態のＷＤＭ−ＰＯＮシステム１ｃの構成を示す全体図である。同図を参照すると、ＷＤＭ−ＰＯＮシステム１ｃは、ＡＷＧ４０の代わりにスプリッタ２１を設け、ＯＮＵ５０〜５３の代わりにＯＮＵ５０ｃ〜５３ｃを設ける点で第１の実施形態のＷＤＭ−ＰＯＮシステム１と異なる。
【０１１１】
スプリッタ２１は、スプリッタ２０（ＯＬＴ１０側）からの光信号を分岐して各ＯＮＵへ送信し、各ＯＮＵからの光信号を合波してスプリッタ２０へ送信する。
【０１１２】
図１８は、ＯＮＵ５０ｃの構成を示すブロック図である。同図を参照すると、ＯＮＵ５０ｃは、光フィルタ５０４を更に備える点で第１の実施形態のＯＮＵ５０と異なる。同図において、点線の矢印は下り信号（５０１Ａ、５０１Ｂ）である。
【０１１３】
光フィルタ５０４は、所定の波長の光信号を透過する。受信部５０２は、光フィルタ５０４を使用して、ＯＬＴ１０が送信する光信号から、自身に対応する波長の光信号を分離する。この光フィルタ５０４の中心波長は、例えば、ＯＬＴ１０からの制御に従って設定される。送信部５０１は、分離された下りの光信号を再変調し、その光信号を、光フィルタ５０４を通じてＯＬＴ１０へ送信する。
【０１１４】
ＯＮＵ５１ｃ〜５３ｃの構成は、ＯＮＵ５０ｃの構成と同様であり、実稼働時、光フィルタ５０４の透過波長は、ＯＬＴ１０の指示により、それぞれ異なる値に設定される。
【０１１５】
図１９を参照して、ＷＤＭ−ＰＯＮシステム１ｃの動作結果について説明する。同図は、全ての光送受信器（１０１等）が省電力モードでない場合における、光信号の経路を示す図である。
【０１１６】
図１９においても、直線の矢印は、波長「λ＃１」の光信号、点線の矢印は、波長「λ＃２」の光信号、一点鎖線の矢印は、波長「λ＃３」の光信号、二点鎖線の矢印は波長「λ＃４」の光信号である。
【０１１７】
図１９に示すように、各ＯＮＵには、波長多重化された光信号が、各波長に分離されない状態で送信される。しかし、それぞれのＯＮＵは、光フィルタを使用することにより、自身に対応する波長の光信号を分離することができる。
【０１１８】
以上説明したように、本実施形態によれば、ＯＬＴ１０から、各ＯＮＵ内の中心波長を設定できるようにすることにより、ＷＤＭ−ＰＯＮシステム１ｃを完全にカラーレスな構成とすることができる。
【０１１９】
（第４の実施形態）
本発明の第４の実施形態について、図２０を参照して説明する。同図は、本実施形態の監視用光通信器１０６ｄの構成を示すブロック図である。本実施形態のＷＤＭ−ＰＯＮシステム１は、監視用光通信器１０６ｄにおいて、波長可変光源１０６１Ａおよび波長可変フィルタ１０６２Ａの代わりに、広域帯光源１０６１Ｂ、波長可変フィルタ１０６４、およびサーキュレータ１０６５を設ける点で第１の実施形態のＷＤＭ−ＰＯＮシステム１と異なる。同図において、点線の矢印は光信号（送信要求信号）であり、実線の矢印は電気信号（休止通知信号、送信要求信号）である。
【０１２０】
波長可変フィルタ１０６４の構成は、波長可変フィルタ１０６２Ａと同様である。広域帯光源１０６１Ｂは、各ＯＮＵに送信すべき波長を全て含む帯域の連続光を生成する。広域帯光源としては、ＡＳＥ（Amplified  Spontaneous  Emission）やＳＬＤ（Super  Luminescent  Diode）などが用いられる。
【０１２１】
サーキュレータ１０６５は、送信部１０６１から入力された光信号を波長可変フィルタ１０６４へ出力し、波長可変フィルタ１０６４から入力された光信号を受信部１０６２へ出力する。
【０１２２】
以上説明したように、本実施形態によれば、波長可変光源を、より安価な広域帯光源およびサーキュレータで置き換えることができるので、コストが低減する。
【０１２３】
（第５の実施形態）
本発明の第５の実施形態について、図２１を参照して説明する。同図は、本実施形態の監視用光通信器１０６ｅの構成を示すブロック図である。本実施形態のＷＤＭ−ＰＯＮシステム１は、監視用光通信器１０６ｅにおいて、光増幅器１０６６を受信部１０６２の前段に更に設ける点で第１の実施形態のＷＤＭ−ＰＯＮシステム１と異なる。同図において、点線の矢印は光信号（送信要求信号）であり、実線の矢印は電気信号（休止通知信号、送信要求信号）である。
【０１２４】
光増幅器１０６６は、スプリッタ２０からの上り信号を増幅して受信部１０６２へ出力する。
【０１２５】
例えば、増幅の利得を１０ｄＢとし、スプリッタ２０として、ＯＮＵ側からの光信号を、ＡＷＧ１０５向けの光信号と、監視用光通信器１０６向けの光信号とに、１０：１の割合で分岐するスプリッタを使用すればよい。
【０１２６】
以上説明したように、本実施形態によれば、監視用光通信器１０６は、光増幅器１０６６を備えるので、スプリッタ２０による分岐損を補い、各ＯＮＵ５０等が高出力である必要がなくなる。
【０１２７】
（第６の実施形態）
本発明の第６の実施形態について、図２２〜図２４を参照して説明する。図２２は、本実施形態のＷＤＭ−ＰＯＮシステム１ｆの構成を示す全体図である。ＷＤＭ−ＰＯＮシステム１ｆは、スプリッタ２０、伝送路３１、３２、光送受信器１０１〜１０４、および監視用光通信器１０６の代わりに、光スイッチ１０７、制御部１０８および光送受信器１０１ｆ〜１０４ｆを設ける点で第２の実施形態のＷＤＭ−ＰＯＮシステム１と異なる。
【０１２８】
光送受信器１０１ｆ〜１０４ｆは、光送受信器１０１〜１０４の機能を有し、これらのうち、いずれか１つが、制御部１０８の設定により、監視用光通信器１０６としても動作する。
【０１２９】
光スイッチ１０７は、複数の入力ポートと、複数の出力ポートとを有する。光スイッチ１０７は、制御部１０８の制御に従って、これらの入出力ポート間の接続構成を変更する。
【０１３０】
制御部１０８は、光送受信器１０１〜１０４、および光スイッチ１０７と電気的に接続されており、いずれかの光送受信器に対し、監視用光通信器（１０６）を兼用するように設定する。制御部１０８は、いずれかの光送受信器が省電力モードに移行したのであれば、省電力モードに移行したＯＮＵに対応するポートの接続先を、対応するポートへ切り替えるように、光スイッチ１０７を制御する。
【０１３１】
図２３および図２４を参照して、ＷＤＭ−ＰＯＮシステム１ｆの動作結果について説明する。図２３は、全ての光送受信器（１０１ｆ等）が通常モードの場合における、光信号の経路を示す図である。図２４は、光送受信器１０２ｆ〜１０３ｆが省電力モードで、光送受信器１０４ｆが監視用光通信器（１０６）を兼用する場合における、光信号の経路を示す図である。
【０１３２】
図２３および図２４においても、直線の矢印は、波長「λ＃１」の光信号、点線の矢印は、波長「λ＃２」の光信号、一点鎖線の矢印は、波長「λ＃３」の光信号、二点鎖線の矢印は波長「λ＃４」の光信号である。
【０１３３】
図２３に示すように、光送受信器１０１ｆ〜１０４ｆは、入力ポート「ＩＮ１」〜「ＩＮ４」に接続される。また、ＯＮＵ５０〜５３に対応する出力ポートは、「ＯＵＴ１」〜「ＯＵＴ４」であり、これらの出力ポートは、ＡＷＧ１０５に接続される。初期状態においては、入力ポート「ＩＮ１」〜「ＩＮ４」の接続先は、出力ポート「ＯＵＴ１」〜「ＯＵＴ４」である。
【０１３４】
ここで、図２４に示すように、ＯＮＵ５１〜５３が省電力モードに移行した場合、光送受信器１０４ｆは、ＯＮＵ５１〜５３に対応する各波長の下り信号を、時分割で送信する。制御部１０８の制御により、光スイッチ１０７は、光送受信器１０４ｆからの下り信号の波長の切り替えのタイミングに合わせて、光送受信器１０４ｆに対応する入力ポート「ＩＮ４」の接続先を、その入力ポートからの下り信号の波長に対応するＯＮＵ５１〜５３への出力ポート（「ＯＵＴ２」〜「ＯＵＴ４」）に切り替える。
【０１３５】
以上説明したように、本実施形態によれば、光スイッチで、省電力モードに移行したＯＮＵからの光信号の出力先を切り替えるので、スプリッタ２０および伝送路３１、３２を設けなくて済み、取り回しが容易となる。
【０１３６】
また、光送受信器１０１ｆ〜１０４ｆは、どれもが第１の実施形態における監視用光通信器１０６と同様の機器となり得るので、別途、監視用光通信器１０６を別途設けなくて済み、コストが低減する。
【０１３７】
なお、図６〜図１０で示したフローチャートの全部または一部は、コンピュータプログラムを実行することにより実現することもできる。
【０１３８】
この出願は、２００９年３月１６日に出願された日本出願特願２００９−０６２５８２を基礎として優先権の利益を主張するものであり、その開示の全てを引用によってここに取り込む。
【符号の説明】
【０１３９】
１、１ｂ、１ｃ、１ｆ    ＷＤＭ−ＰＯＮシステム
１０    ＯＬＴ
２０    スプリッタ
３０、３１、３２    伝送路
４０、４０ｂ    ＡＷＧ
５０、５１、５２、５３、５０ｃ、５１ｃ、５２ｃ、５３ｃ    ＯＮＵ
Ｐa、Ｐｂ    入力ポート
Ｐ１、Ｐ２、Ｐ３、Ｐ４    出力ポート
ＩＮ１、ＩＮ２、ＩＮ３、ＩＮ４    入力ポート
ＯＵＴ１、ＯＵＴ２、ＯＵＴ３、ＯＵＴ４    出力ポート
１０１、１０２、１０３、１０４、１０１ｆ、１０２ｆ、１０３ｆ、１０４ｆ    光送受信器
１０５    ＡＷＧ
１０６、１０６ｄ、１０６ｅ    監視用光通信器
１０７    光スイッチ
１０８    制御部
５０１、１０１１、１０６１    送信部
５０２、１０１２、１０６２    受信部
５０３、１０１３、１０６３    制御部
５０４    光フィルタ
１０１１Ａ    光源
１０６１Ａ    波長可変光源
１０６２Ａ    波長可変フィルタ
１０６１Ｂ    広域帯光源
１０６３Ａ    チャネルリスト
１０６４    波長可変フィルタ
１０６５    サーキュレータ
１０６６    光増幅器
Ｓ１〜Ｓ１１、Ｓ４１〜Ｓ４５、Ｔ１〜Ｔ７、Ｔ５１〜Ｔ６３、Ｕ１〜Ｕ５    ステップ
【図１】
2010106917.tif 000003
【図２】
2010106917.tif 000004
【図３】
2010106917.tif 000005
【図４】
2010106917.tif 000006
【図５】
2010106917.tif 000007
【図６】
2010106917.tif 000008
【図７】
2010106917.tif 000009
【図８】
2010106917.tif 000010
【図９】
2010106917.tif 000011
【図１０】
2010106917.tif 000012
【図１１】
2010106917.tif 000013
【図１２】
2010106917.tif 000014
【図１３】
2010106917.tif 000015
【図１４】
2010106917.tif 000016
【図１５】
2010106917.tif 000017
【図１６】
2010106917.tif 000018
【図１７】
2010106917.tif 000019
【図１８】
2010106917.tif 000020
【図１９】
2010106917.tif 000021
【図２０】
2010106917.tif 000022
【図２１】
2010106917.tif 000023
【図２２】
2010106917.tif 000024
【図２３】
2010106917.tif 000025
【図２４】
2010106917.tif 000026
【国際調査報告】
2010106917.tif 000027
2010106917.tif 000028
2010106917.tif 000029